(57)【特許請求の範囲】
【請求項１】
基地局との間で複数の通信チャネルを用いて通信することができる無線通信装置において、
上記基地局の設置場所における通信トラフィック状況を判別する判別手段と；
上記判別手段による判別結果に基づいて、通信チャネル数の変更を可能、もしくは不可能に設定する設定手段と；
上記基地局から通信チャネルの切断要求を受信する受信手段と；
を有し、
上記切断要求を受信したときに、通信チャネル数の変更を可能に設定している場合、使用している複数の通信チャネルのうち、一部の通信チャネルを切断し、残りの通信チャネルを用いて通信を継続し、上記切断要求を受信したときに、通信チャネル数の変更を不可能に設定している場合、使用している複数のチャネル全てを切断し、他の基地局を検索することを特徴とする無線通信装置。
【請求項２】
請求項１において、
上記設定手段は、上記基地局が通信トラフィックの高い場所に設置されている場合、通信チャネル数の変更を可能に設定し、上記基地局が通信トラフィックの低い場所に設置されている場合、通信チャネル数の変更を不可能に設定することを特徴とする無線通信装置。
【請求項３】
請求項１又は２において、
上記無線通信装置の無線エリア内に存在する基地局の識別情報と、通信トラフィック情報と、を対応付けて記憶する記憶手段を有し、
上記判別手段は、上記記憶手段により記憶されている情報に基づいて判断することを特徴とする無線通信装置。
【請求項４】
基地局との間で複数の通信チャネルを用いて通信することができる無線通信装置の制御方法において、
上記基地局の設置場所における通信トラフィック状況を判別する判別工程と；
上記判別工程における判別結果に基づいて、通信チャネル数の変更を可能、もしくは不可能に設定する設定工程と；
上記基地局から通信チャネルの切断要求を受信する受信工程と；
を有し、
上記切断要求を受信したときに、通信チャネル数の変更を可能に設定している場合、使用している複数の通信チャネルのうち、一部の通信チャネルを切断し、残りの通信チャネルを用いて通信を継続し、上記切断要求を受信したときに、通信チャネル数の変更を不可能に設定している場合、使用している複数のチャネル全てを切断し、他の基地局を検索することを特徴とする制御方法。
【発明の詳細な説明】
【０００１】
【発明の属する技術分野】
本発明は、無線通信装置、無線通信装置の制御方法に関するものである。
【０００２】
【従来の技術】
ＰＨＳ（ＰｅｒｓｏｎａｌＨａｎｄｙｐｈｏｎｅＳｙｓｔｅｍ  第２世代コードレス電話システム）を用いた従来のデータ通信では、データ端末を無線端末装置に接続する等して、データ通信が行なわれている。
【０００３】
さらに、データ通信の速度向上のために、情報チャネルを２回線用いた通信方法が標準規格（ＲＣＲ  ＳＴＤ−２８）で策定され、情報転送速度は、制御データ部も含めて６４ｋｂ／ｓである。
【０００４】
次に、移動局が、基地局を介して、相手ターミナルアダプタとの間で通信を行う従来例について説明する。
【０００５】
図８は、移動局が、基地局を介して、相手ターミナルアダプタとの間で通信を行う従来例における制御シーケンスを示す図である。
【０００６】
移動局が６４ｋｂ／ｓデータ通信を行うための発呼動作に入ると、まず、リンクチャネル確立要求（３０１）を、基地局に送信する。メッセージを受信した基地局は、リンクチャネル割当（３０２）を移動局に対し送信する。これによって、第１の情報チャネル（ＴＣＨ）が割り当てられたことになる。さらに、移動局は、第２のＴＣＨを基地局に割当ててもらうために、ＴＣＨ追加要求（３０５）を基地局に送信する。
【０００７】
ここで、空きのＴＣＨが基地局に存在する場合、基地局がＴＣＨ追加割当メッセージを移動局に送信することによって、第２のＴＣＨが移動局に割り当てられ、２本のＴＣＨによって、６４ｋｂ／ｓ通信を開始することが可能になる。
【０００８】
また、基地局、移動局のそれぞれにおいて、ＴＣＨの追加機能の有無を設定し、基地局、移動局がともに、「ＴＣＨ可変型機能＝有」という状態である場合にのみ、通信中にＴＣＨの追加を行なうことができる。
【０００９】
【発明が解決しようとする課題】
しかし、上記従来例では、移動局が「ＴＣＨ可変型機能＝無」という状態で、２本のＴＣＨを用いて６４ｋｂ／ｓデータ通信を行う際に、上記移動局の接続先の基地局が通信トラフィック頻度の高い場所に設置されていると、上記基地局にアクセスする他移動局が多いので、上記移動局は、２本のＴＣＨを確保し続けることが困難になり、通信切断になるおそれがある。
【００１０】
本発明は、基地局との間で、複数の通信チャネルを用いて通信を行うことができる無線通信装置において、安定した通信速度で通信することを目的とする。
【００１１】
【課題を解決するための手段】
本発明は、基地局との間で複数の通信チャネルを用いて通信することができる無線通信装置において、上記基地局の設置場所における通信トラフィック状況を判別する判別手段と、上記判別手段による判別結果に基づいて、通信チャネル数の変更を可能、もしくは不可能に設定する設定手段と、上記基地局から通信チャネルの切断要求を受信する受信手段とを有し、上記切断要求を受信したときに、通信チャネル数の変更を可能に設定している場合、使用している複数の通信チャネルのうち、一部の通信チャネルを切断し、残りの通信チャネルを用いて通信を継続し、上記切断要求を受信したときに、通信チャネル数の変更を不可能に設定している場合、使用している複数のチャネル全てを切断し、他の基地局を検索することを特徴とする無線通信装置である。
【００１２】
一方、基地局が通信トラフィックの低い場所に設置されている基地局であると判別されると、移動局において「ＴＣＨ可変型機能＝無」の状態に切り替え、通信チャネル数の変更を不可能とする。したがって、安定した通信速度での通信を可能とする。
【００１３】
【発明の実施の形態および実施例】
図１は、本発明の一実施例である移動局１０１を含む無線通信システム１００を示すブロック図である。
【００１４】
無線通信システム１００は、無線端末装置としての移動局１０１とデータ端末１０３とが、接続ケーブル１０２を介して接続され、移動局１０１が基地局１０４と無線接続を行い、公衆網ｌ０６に接続された電話回線１０５、１０７を通じて、移動局１０１が相手ターミナルアダプタ１０８と通信する。
【００１５】
図２は、上記実施例である移動局１０１を示すブロック図である。
【００１６】
移動局１０ｌは、図２に示すように、たとえばデータ端末１０３から、アンテナ２０３を介して、所定のデータを送出する場合、まず、基地局１０４との通信路を確立するために、移動局側無線送受信部２０４が、移動局制御部２０１の指示によって、シーケンス処理を行う。通信路の確立ができたら、データ端末１０３は、接続ケーブル１０２を用い、端末インタフェース処理部２０６に送出データを送り、ＰＩＡＦＳ処理部２０５がＰＩＡＦＳのフレーミングを行う。フレーミングされたデータは、移動局側メモリ２０２に送られ、移動局側無線送受信部２０４から送出されるのを待機する。そして、移動局制御部２０１の指示で、アンテナ２０３を用いてデータが送られる。
【００１７】
次に、上記実施例の動作について説明する。
【００１８】
実施例として、移動局１０１が接続する基地局１０４のＩＤ（以下「ＣＳ−ＩＤ」という）を基準に、基地局１０４の設置場所が、通信トラフィックの高い場所であるか、低い場所であるかを判断する場合の処理を示す。
【００１９】
図３、図４は、上記実施例の動作を示すフローチャートである。
【００２０】
移動局１０１が待ち受けに移行する際には、所定のＣＳ（基地局）と接続されなければならない。そこでＣＳ検索（基地局検索）（４０１）を行い、受信感度の最もよい基地局と同期を取り、基地局のＩＤ番号であるＣＳ−ＩＤを、移動局１０１側メモリ２０２に格納する（４０２）。
【００２１】
ここで、移動局１０１は、メモリに格納されたＣＳ−ＩＤと、予め登録されている「通信トラフィックＣＳ−ＩＤテーブル」（図７）とを比較し（４０３）、接続された基地局１０４が、「通信トラフィックが高い場所設置の基地局のＩＤ」（８０３）と一致した場合（４０４）には、「ＴＣＨ可変型機能＝有」の状態にする（４０７）。
【００２２】
「通信トラフィックが低い場所設置の基地局のＩＤ」（８０３）と一致（４０５）した場合には、「ＴＣＨ可変型機能＝無」の状態にする（４０６）。「通信トラフィックＣＳ−ＩＤテーブル」（図７）に一致するＣＳ−ＩＤが見つからない場合は、「ＴＣＨ可変型機能」の再設定を行わない。
【００２３】
すなわち、上記動作によって、接続先の基地局が、通信トラフィックの高い場所に設置されているのか、または、通信トラフィックの低い場所に設置されているのかを判別する判別手段が実現される。
【００２４】
移動局１０１ユーザの操作によって、６４ｋｂ／ｓデータ通信の発呼が起動されると、移動局１０１は、リンクチャネル確立要求（３０１）を基地局１０４に送信する。メッセージを受信した基地局１０４は、リンクチャネル割当（３０２）を、移動局１０１に送信する。これで、第１の情報チャネル（ＴＣＨ）が割り当てられる。
【００２５】
さらに、６４ｋｂ／ｓデータ通信を行うために移動局１０１は、ＴＣＨ追加要求（３０５）を基地局１０４に送信することによって、第２のＴＣＨを基地局１０４に要求する。
【００２６】
ここで、空きＴＣＨが基地局１０４に存在する場合、基地局１０４がＴＣＨ追加割当メッセージ（３０６）を移動局１０１に送信することによって、移動局１０１に第２のＴＣＨが割り当てられ、２本のＴＣＨによって、６４ｋｂ／ｓデータ通信を開始することが可能になる。
【００２７】
２本のＴＣＨによって、６４ｋｂ／ｓデータ通信開始後に、基地局１０４から無線チャネル切断要求を移動局１０１が受信（５０１、６０１、７０１）した際には、上記「通信トラフィックＣＳ−ＩＤテーブル」の比較結果（４０３）に応じた処理を行う。
【００２８】
図５は、「基地局の通信トラフィックが高い場所設置」の場合における制御シーケンスを示す図である。
【００２９】
図５において、無線チャネル切断要求（６０１）に対して、１つのＴＣＨに関して、無線チャネル切断完了（６０２）を基地局１０４に送信し、１チャネルを切断し（５０６）、残りの１チャネルで通信（５０７）を続行する。
【００３０】
その後、基地局１０４側において、空きＴＣＨが確保されると、基地局１０４は、移動局１０１に対して、ＴＣＨ追加要求指示（６０３）を送信する。これを受信した移動局１０１は、ＴＣＨ追加要求（３０５）を基地局１０４に送信する。基地局１０４が、ＴＣＨ追加割当メッセージを移動局１０１に送信することによって、移動局１０１に第２のＴＣＨが割り当てられ、再び２本のＴＣＨで６４ｋｂ／ｓ通信を開始することが可能になる。
【００３１】
上記の方法によって、「基地局通信トラフィックが高い場所設置」の場合は、ＴＣＨの増減を繰り返し、通信を続ける。
【００３２】
図６は、上記実施例において、「基地局通信トラフィックが低い場所設置」の場合における制御シーケンスを示す図である。
【００３３】
「基地局通信トラフィックが低い場所設置」の場合は、上記無線チャネル切断要求（７０１）に対して、２つＴＣＨに関して無線チャネル切断完了（７０２）を、基地局１０４に送信し、現基地局１０４を切断する（５０３）。
【００３４】
次に、２本のＴＣＨによって、６４ｋｂ／ｓデータ通信可能な他基地局の検索を開始し（５０４）、接続を行ない、通信を再開（５０５）する。
【００３５】
「通信トラフィックＣＳ−ＩＤテーブル」に、現在接続中の基地局ＣＳ−ＩＤがない場合は、移動局１０１の「ＴＣＨ可変型機能」設定状態に応じて、「ＴＣＨ可変型機能＝有」という状態であれば、１チャネルの切断処理を行ない、「ＴＣＨ可変型機能＝無」という状態であれば、他基地局１０４の検索を行う。
【００３６】
上記実施例によれば、接続された基地局１０４が、通信トラフィックの高い場所に設置されている基地局であると判別された場合は、移動局１０１が複数チャネルで通信中であっても、１チャネルを解放することによって、他の移動局との通信を可能にし、通信トラフィックが低い場所に設置されている基地局であると判別された場合は、他の基地局を検索するので、安定した通信速度で通信することができる。
【００３７】
【発明の効果】
本発明によれば、基地局との間で複数の通信チャネルを用いて通信を行うことができる無線通信装置において、安定した通信速度で通信することができる。
【図面の簡単な説明】
【図１】本発明の一実施例である移動局１０１を含む無線通信システム１００を示すブロック図である。
【図２】上記実施例である移動局１０１を示すブロック図である。
【図３】上記実施例の動作を示すフローチャートである。
【図４】上記実施例の動作を示すフローチャートである。
【図５】「基地局の通信トラフィックが高い場所設置」の場合における制御シーケンスを示す図である。
【図６】上記実施例において、「基地局通信トラフィックが低い場所設置」の場合における制御シーケンスを示す図である。
【図７】上記実施例における通信トラフィックＣＳ−ＩＤテーブルを示す図である。
【図８】移動局が、基地局を介して、相手ターミナルアダプタとの間で通信を行う従来例における制御シーケンスを示す図である。
【符号の説明】
１００…無線通信システム、
１０１…無線端末装置としての移動局、
１０２…接続ケーブル、
１０３…データ端末、
１０４…基地局、
１０５、１０７…電話回線、
１０６…公衆網、
１０８…相手ターミナルアダプタ。
【図１】
0004447737.tif 000002
【図２】
0004447737.tif 000003
【図３】
0004447737.tif 000004
【図４】
0004447737.tif 000005
【図５】
0004447737.tif 000006
【図６】
0004447737.tif 000007
【図７】
0004447737.tif 000008
【図８】
0004447737.tif 000009